(57)【要約】  ハウジングと、前記ハウジング内に配置された固定端部と可動端部とを含むダンパと、ハウジング内で閉鎖位置と開放位置との間で移動可能なキャリッジアセンブリと、キャリッジアセンブリに回動可能に取り付けられた爪アセンブリと、キャリッジアセンブリを閉鎖位置へ付勢するように位置付けられたバネと、を含む、ドア用ダンパアセンブリ。ダンパの可動端部はキャリッジアセンブリに固定される。爪アセンブリは、キャリッジアセンブリと一緒に閉鎖位置と開放位置との間で移動可能である。爪アセンブリは、キャリッジアセンブリに対して非トグル位置とトグル位置との間で移動可能である。爪アセンブリは、爪が非トグル位置にあるとき概ね垂直であり爪アセンブリがトグル位置にあるとき垂直ではない爪軸線を画定する爪アセンブリの中に形成されるピン受入れ空間を含む。
2021519878.tif 000002
【特許請求の範囲】
【請求項１】
ドア用ダンパアセンブリであって、
ハウジングと、
前記ハウジング内に配置され、固定端部と可動端部とを含む、ダンパと、
前記ダンパの前記可動端部が固定され、閉鎖位置と開放位置との間で移動可能である、キャリッジアセンブリと、
前記キャリッジアセンブリに回動可能に取り付けられた爪アセンブリであって、前記爪アセンブリは、前記キャリッジアセンブリと一緒に前記閉鎖位置と前記開放位置との間で移動可能であり、前記爪アセンブリは、前記キャリッジアセンブリに対して非トグル位置とトグル位置との間で移動可能であり、前記爪アセンブリが前記非トグル位置にあるとき概ね垂直であり、前記爪アセンブリが前記トグル位置にあるとき垂直ではない爪軸線を画定するピン受入れ空間を有する爪アセンブリと、
前記キャリッジアセンブリを前記閉鎖位置へ付勢するように位置付けられたバネと、
を備える、ドア用ダンパアセンブリ。
【請求項２】
前記キャリッジアセンブリ及び前記爪アセンブリが、前記キャリッジアセンブリが前記閉鎖位置と前記開放位置との間で移動するとき第１端部と第２端部とを有するキャリッジ経路に沿って移動し、前記爪アセンブリが、前記キャリッジ経路の前記第２端部において前記トグル位置へ回動する、請求項１に記載のドア用ダンパアセンブリ。
【請求項３】
前記バネが、前記ハウジングに固定された第１端部と前記キャリッジアセンブリに固定された第２端部とを有する、請求項１に記載のドア用ダンパアセンブリ。
【請求項４】
前記キャリッジアセンブリにバネ受入れ空間が形成され、前記バネが前記バネ受入れ空間の中に配置される、請求項３に記載のドア用ダンパアセンブリ。
【請求項５】
前記キャリッジアセンブリが、これから突出するバネ用突出部を含み、前記バネ用突出部が前記ハウジングに形成されたバネ用スロットの中に受け入れられ、前記バネ用突出部が前記バネに近接して位置付けられ、前記バネ用突出部が、前記キャリッジアセンブリが前記閉鎖位置と前記開放位置との間で移動するとき前記バネ用スロットに沿って移動する、請求項４に記載のドア用ダンパアセンブリ。
【請求項６】
前記爪アセンブリが、爪ピボットピンによって前記キャリッジアセンブリに回動可能に取り付けられ、前記爪ピボットピンが、前記キャリッジアセンブリから突出するキャリッジアセンブリ突出部の中に少なくとも部分的に配置され、前記爪ピボットピンと爪アセンブリ突出部が同軸であり、前記キャリッジアセンブリ突出部が前記ハウジングに形成されたキャリッジアセンブリ用スロットの中に受け入れられ、前記キャリッジアセンブリ突出部が、前記キャリッジアセンブリが前記閉鎖位置と前記開放位置との間で移動するとき前記キャリッジアセンブリ用スロットに沿って移動する、請求項１に記載のドア用ダンパアセンブリ。
【請求項７】
前記爪アセンブリが、これから外向きに突出する爪アセンブリ突出部を含み、前記爪アセンブリ突出部が、前記ハウジングに形成された爪アセンブリ用スロットの中に受け入れられ、前記爪アセンブリ用スロットが第１部分と第２部分とを含み、前記爪アセンブリ用スロットの前記第１部分が直線的でありかつ前記爪アセンブリ用スロットの前記第２部分が湾曲し、前記爪アセンブリ突出部が、前記キャリッジアセンブリが前記閉鎖位置と前記開放位置との間で移動するとき前記爪アセンブリ用スロットに沿って移動し、前記爪アセンブリが、前記爪アセンブリ突出部が前記爪アセンブリ用スロットの前記第２部分を通過して移動するとき前記トグル位置へ移動する、請求項１に記載のドア用ダンパアセンブリ。
【請求項８】
前記爪アセンブリが、第１爪部材と第２爪部材とを含み、前記第２爪部材が、前記第１爪部材に対して回動可能である、請求項１に記載のドア用ダンパアセンブリ。
【請求項９】
前記第２爪部材が、第１位置と第２位置との間で回動可能であり、前記第２爪部材が前記第１位置へ付勢される、請求項８に記載のドア用ダンパアセンブリ。
【請求項１０】
前記キャリッジアセンブリが前記閉鎖位置と前記開放位置との間で移動するとき、前記ピン受入れ空間がピン経路を定め、前記第２爪部材が外側傾斜面を含み、前記第２爪部材が、前記ピン経路に沿って開放位置から閉鎖位置へ移動するピンが前記外側傾斜面に接触すると前記第２爪部材が前記第１位置から前記第２位置へ回動するように構成される、請求項９に記載のドア用ダンパアセンブリ。
【請求項１１】
前記第２爪部材が、リセットピボットピンによって前記第１爪に回動可能に取り付けられ、前記リセットピボットピンが、前記第２爪部材から突出する爪アセンブリ突出部の中に少なくとも部分的に配置され、前記リセットピボットピンと爪アセンブリ突出部が同軸であり、前記爪アセンブリ突出部が、前記ハウジングに形成された爪アセンブリ用スロットの中に受け入れられる、請求項１０に記載のドア用ダンパアセンブリ。
【請求項１２】
爪用バネが前記キャリッジアセンブリと前記第２爪部材との間に延びて、前記爪用バネが前記第２爪部材を前記第１位置へ付勢する、請求項９に記載のドア用アセンブリ。
【請求項１３】
前記爪アセンブリが、前記ピン受入れ空間の少なくとも一部分が前記ハウジングの外部に在るように前記ハウジングの開口部を通過して下向きに延びる、請求項１に記載のドア用ダンパアセンブリ。
【請求項１４】
ドア用ダンパアセンブリであって、
ハウジングと、
前記ハウジング内に配置され、固定端部と可動端部とを含む、ダンパと、
前記ダンパの前記可動端部が固定され、閉鎖位置と開放位置との間で移動可能である、キャリッジアセンブリと、
爪ピボットピンによって前記キャリッジアセンブリに回動可能に取り付けられて、前記キャリッジアセンブリに対してトグル位置と非トグル位置との間で移動可能である、爪アセンブリであって、前記爪アセンブリは、前記キャリッジアセンブリと一緒に前記閉鎖位置と前記開放位置との間で移動可能であり、前記爪アセンブリは、これから外向きに突出する爪アセンブリ突出部を含み、前記爪アセンブリ突出部は、前記ハウジングに形成された爪アセンブリ用スロットの中に受け入れられ、前記爪アセンブリ用スロットは第１部分と第２部分とを含み、前記爪アセンブリ用スロットの前記第１部分が直線的でありかつ前記爪アセンブリ用スロットの前記第２部分が湾曲し、前記爪アセンブリ突出部は、前記キャリッジアセンブリが前記閉鎖位置と前記開放位置との間で移動するとき前記爪アセンブリ用スロットに沿って移動し、前記爪アセンブリは、前記爪アセンブリ突出部が前記爪アセンブリ用スロットの前記第２部分を通過するとき前記トグル位置へ移動し、前記爪アセンブリは、前記爪アセンブリが前記非トグル位置にあるとき概ね垂直であり、前記爪アセンブリが前記トグル位置にあるとき垂直ではない爪軸線を画定するピン受入れ空間を有し、前記爪ピボットピンが、前記キャリッジアセンブリから突出する前記キャリッジアセンブリ突出部の中に少なくとも部分的に配置され、前記爪ピボットピンとキャリッジアセンブリ突出部が同軸であり、前記キャリッジアセンブリ突出部が、前記ハウジングに形成されたキャリッジアセンブリ用スロットの中に受け入れられ、前記キャリッジアセンブリ突出部が、前記キャリッジアセンブリが前記閉鎖位置と前記開放位置との間で移動するとき前記キャリッジアセンブリ用スロットに沿って移動する、爪アセンブリと、
前記キャリッジアセンブリを前記閉鎖位置へ付勢するように位置付けられたバネであって、前記バネが、前記ハウジングに固定された第１端部と前記キャリッジアセンブリに固定された第２端部とを有し、前記キャリッジ部材がその中にバネ受入れ溝を形成し、前記バネが前記バネ受入れ溝の中に配置される、バネと、
を備える、ドア用ダンパアセンブリ。
【請求項１５】
前記爪アセンブリが、第１及び第２爪部材を含み、前記第２爪部材が前記第１爪部材に対して回動可能である、請求項１４に記載のドア用ダンパアセンブリ。
【請求項１６】
前記第２爪部材が、第１位置と第２位置との間で回動可能であり、前記第２爪部材が前記第１位置へ付勢される、請求項１５に記載のドア用ダンパアセンブリ。
【請求項１７】
前記キャリッジアセンブリが、前記閉鎖位置と前記開放位置との間で移動するとき前記ピン受入れ空間がピン経路を定め、前記第２爪部材が外側傾斜面を含み、前記第２爪部材が、前記ピン経路に沿って開放位置から閉鎖位置へ移動するピンが前記外側傾斜面に接触すると前記第２爪部材が前記第１位置から前記第２位置へ回動するように構成される、請求項１６に記載のドア用ダンパアセンブリ。
【請求項１８】
前記第２爪部材が、リセットピボットピンによって前記第１爪に回動可能に取り付けられ、前記リセットピボットピンが、前記爪アセンブリ突出部の中に少なくとも部分的に配置され、前記リセットピボットピンと爪アセンブリ突出部が同軸であり、前記爪アセンブリ突出部が、前記ハウジングに形成された爪アセンブリ用スロットの中に受け入れられる、請求項１７に記載のドア用ダンパアセンブリ。
【請求項１９】
爪用バネが前記キャリッジアセンブリと前記第２爪部材との間に延び、前記爪用バネが前記第２爪部材を前記第１位置へ付勢する、請求項１８に記載のドア用ダンパアセンブリ。
【発明の詳細な説明】
【技術分野】
【０００１】
（関連出願の相互参照）
本出願は、２０１８年４月２日に提供された米国仮特許出願第６２／６５１６１２号（その全体が参照により本出願に援用される）の利益を主張する。
【０００２】
本発明は、概略的に、ドア用ダンパ、特に自動閉鎖機能を有するドア用ダンパに関する。
【背景技術】
【０００３】
使用中でないとき、航空機の洗面所用ドアが多少開いたままにされて、狭い通路に突き出すことがしばしばある。自動閉鎖機能を有する洗面所用ドアが必要とされる。
【発明の概要】
【０００４】
本発明の第１形態によれば、ハウジングと、ハウジング内に配置された固定端部と可動端部とを含むダンパと、ハウジング内で閉鎖位置と開放位置との間を移動可能なキャリッジアセンブリ（ｃａｒｒｉａｇｅ  ａｓｓｅｍｂｌｙ）と、キャリッジアセンブリに回動可能に取り付けられた爪アセンブリ（ｃｌａｗ  ａｓｓｅｍｂｌｙ）と、キャリッジアセンブリを閉鎖位置へ付勢するように位置付けられたバネと、を含むドア用ダンパアセンブリ（ｄｏｏｒ  ｄａｍｐｅｒ  ａｓｓｅｍｂｌｙ）が提供される。ダンパの可動端部は、キャリッジアセンブリに固定される。爪アセンブリは、キャリッジアセンブリと一緒に閉鎖位置と開放位置との間で移動可能である。爪アセンブリは、キャリッジアセンブリに対して非トグル位置とトグル位置との間で移動可能である。爪アセンブリは、その中に形成されたピン受入れ空間を含み、ピン受入れ空間は、爪アセンブリが非トグル位置にあるとき概ね垂直であり爪アセンブリがトグル位置のとき非垂直である爪軸線を画定する。好ましい実施形態において、キャリッジアセンブリ及び爪アセンブリは、キャリッジアセンブリが閉鎖位置と開放位置との間で移動して爪アセンブリがキャリッジ経路の第２端部においてトグル位置へ回動するとき、第１端部と第２端部とを有するキャリッジ経路に沿って移動する。
【０００５】
好ましい実施形態において、バネは、ハウジングに固定された第１端部とキャリッジアセンブリに固定された第２端部とを有する。好ましくは、キャリッジアセンブリは、その中にバネ受入れ空間が形成され、バネは、バネ受入れ空間の中に配置される。好ましい実施形態において、キャリッジアセンブリは、これから突出してハウジングに形成されたバネ用スロットの中に受け入れられるバネ用突出部を含む。バネ用突出部は、バネに近接して位置付けられ、キャリッジアセンブリが閉鎖位置と開放位置の間で移動するときバネ用スロットに沿って移動する。
【０００６】
好ましい実施形態において、爪アセンブリは、キャリッジアセンブリから突出するキャリッジアセンブリ突出部の中に少なくとも部分的に配置される爪ピボットピンによってキャリッジアセンブリに回動可能に取り付けられる。好ましくは、爪ピボットピンとキャリッジアセンブリ突出部は同軸である。但し、他の実施形態においては、同軸ではない。キャリッジアセンブリ突出部は、ハウジングに形成されたキャリッジアセンブリ用スロットの中に受け入れられる。キャリッジアセンブリ突出部は、キャリッジアセンブリが閉鎖位置と開放位置との間で移動するときキャリッジアセンブリ用スロットに沿って移動する。好ましい実施形態において、爪アセンブリは、これから外向きに突出する爪アセンブリ突出部を含み、爪アセンブリ突出部はハウジングに形成された爪アセンブリ用スロットの中に受け入れられる。爪アセンブリ用スロットは、第１部分と第２部分とを含む。爪アセンブリ用スロットの第１部分は直線的であり、爪アセンブリ用スロットの第２部分は湾曲する。爪アセンブリ突出部は、キャリッジアセンブリが閉鎖位置と開放位置との間で移動するとき爪アセンブリ用スロットに沿って移動する。爪アセンブリは、爪アセンブリ突出部が爪アセンブリ用スロットの第２部分を通過するときトグル位置へ移動する。
【０００７】
好ましい実施形態において、爪アセンブリは、第１及び第２爪部材を含み、第２爪部材は、第１爪部材に対して回動可能である。好ましくは、第２爪部材は、第１位置と第２位置との間で回動可能であり、第１位置へ付勢される。好ましい実施形態において、キャリッジアセンブリが閉鎖位置と開放位置との間で移動するとき、ピン受入れ空間はピン経路を定める。第２爪部材は、外側傾斜面を含み、ピン経路に沿って開放位置から閉鎖位置ヘ移動するピンが外側傾斜面に接触すると、第２爪部材が第１位置から第２位置ヘ回動するように構成される。好ましくは、第２爪部材は、第２爪部材から突出する爪アセンブリ突出部の中に少なくとも部分的に配置されるリセットピボットピンによって第１爪に回動可能に取り付けられる。リセットピボットピンと爪アセンブリ突出部は同軸であり、爪アセンブリ突出部は、ハウジングに形成された爪アセンブリ用スロットに受け入れられる。好ましくは、爪用バネは、キャリッジアセンブリと第２爪部材との間に延びて、第２爪部材を第１位置へ付勢する。好ましい実施形態において、爪アセンブリは、ピン受入れ空間の少なくとも一部分がハウジングの外部に在るようにハウジングの開口部を貫通して下向きに延びる。
【０００８】
本発明は、ドア用ダンパ装置又はアセンブリに関する。好ましい実施形態において、ドア用ダンパアセンブリは、航空機の洗面所のドアが閉じるときこれを制動するために使用される。但し、これは本発明を限定するものではなく、航空機に使用されるドア用ダンパアセンブリに関する本出願の説明は代表的なものに過ぎない。特に、好ましい実施形態において、ドア用ダンパアセンブリは、２０１６年８月３０日に発行された米国特許第９４２８２５９号明細書（その全体が参照により本出願に援用される）において教示される洗面所用ドアに使用される。ドア用ダンパアセンブリは、２つ折り又は折り畳み式ドアに使用できる。
【０００９】
本発明のドア用ダンパアセンブリは、概略的に、前面カバーを有するハウジングと２つ折りドアから上向きに延びるローラーピンを受け入れる爪とを含む。ドア用ダンパアセンブリは、又、キャリッジと、ダンパと、バネと、爪とを含む。使用時に、ローラーピンは爪の中に受け入れられる。
【００１０】
ドアが開放されると、ピン、爪及びキャリッジは開放位置へ移動する。キャリッジ及び爪が開放位置になるとき、上向きの又は湾曲した端部を有するトラック又はスロットは、爪をトグルさせるか、開放するか又は所定角度まで移動させてドアローラーピンを解除させる。ドアローラーピンは、ドアと一緒にドアの開放位置まで移動し続ける。これを、本出願においては、爪がトグルしてピンを解除すると言う。バネも、この位置まで伸ばされる。バネは伸張して、キャリッジを定位置又は閉鎖位置へ引き戻すように、キャリッジを付勢するが、爪はトグル状態なので、バネは引き戻されない。バネの一方の端部はキャリッジに取り付けられ、他方の端部は、ハウジング内の切り欠きに取り付けられる。
【００１１】
ドアが、閉鎖位置へ向かって移動すると、爪はドアローラーピン（ピンは爪の腕部（ａｒｍ）又は先端（ｈｅａｄ）の１つに接触する）を受け入れて、爪を押して爪をトグルから解除する。バネは、キャリッジを閉鎖位置へ引き戻す（ドアを引っ張って閉鎖する）。同時に、ダンパは伸びて、閉鎖の動きを制動する。
【００１２】
好ましい実施形態において、ドア用ダンパアセンブリは、ピンが爪に適切に受け入れられない場合に負荷がリセットされるバネを有する。ピンが爪の中にない場合のリセット状況において、ピンが定位置へ移動するとき、ピンは、爪の腕部又は先端の１つに接触する。爪は、ピンが爪を通過して爪内部の定位置まで移動できるようにするために、引込んで回動して経路から外れるように回動可能である。ピンが回動可能な爪の腕部を通過するとき、バネは爪の先端を付勢するか或いは正常位置へ戻し、ピンは再び爪の中に捕捉される。
【００１３】
本発明は、航空機以外でも使用できる。例えば、本発明は、２つ折りドアを含む他の囲繞体に使用できる。
【００１４】
本発明は、添付図面を参照することによってより容易に理解できる。
【図面の簡単な説明】
【００１５】
【図１】図１は、本発明の好ましい実施形態に従ったドア用ダンパアセンブリの斜視図である。
【図２】図２は、ドアヘッダにドア用ダンパアセンブリを持つドアの図である。
【図３】図３は、ドア用ダンパアセンブリの前面斜視分解図である。
【図４】図４は、ドア用ダンパアセンブリの背面斜視分解図である。
【図５】図５は、カバーが取り除かれたドア用ダンパアセンブリの正面図である（カバーは上下を逆にして示す）。
【図６】図６は、キャリッジアセンブリが閉鎖位置にあり、爪アセンブリが非トグル位置にあり、ドアピンがピン受入れ空間の中に在るドア用ダンパアセンブリの正面図である。
【図７】図７は、キャリッジアセンブリが開放位置にあり、爪アセンブリがトグル位置にあり、ドアピンがピン受入れ空間の中に在るドア用ダンパアセンブリの正面図である。
【図８】図８は、キャリッジアセンブリが開放位置にあり、爪アセンブリがトグル位置にあり、ドアが更に開くときにドアピンがピン受入れ空間外部を移動した後のドア用ダンパアセンブリの正面図である。
【図９】図９は、キャリッジアセンブリが開放位置にあり、爪アセンブリがトグル位置にあり、ドアが閉まるときにドアピンがピン受入れ空間へ戻って受け入れられているドア用ダンパアセンブリの正面図である。
【図１０】図１０は、キャリッジアセンブリが閉鎖位置へ戻り、爪アセンブリがトグル位置へ戻り、ドアが閉鎖されて制動された後のドア用ダンパアセンブリの正面図である。
【図１１】図１１は、ドアピンがピン受入れ空間外部に在って閉鎖位置へ向かって移動している状態のリセット機能を示す、ドア用ダンパアセンブリの正面図である。
【図１２】図１２は、ドアピンが第２爪部材を第２位置へ移動させた場合のリセット機能を示す、ドア用ダンパアセンブリの正面図である。
【図１３】図１３は、ドアピンが第２爪部材を通過してピン受入れ空間の中へ戻っている場合のリセット機能を示すドア用ダンパアセンブリの正面図である。
【００１６】
図面を通じて同様の参照番号は同様の部品を指す。
【発明を実施するための形態】
【００１７】
下記の説明および図面は例示的なものであり、限定的なものと解釈されるべきではない。多数の具体的な細部は、開示をよく理解できるようにするために示される。但し、特定の事例において、周知の又は慣例的細部は、説明をあいまいにしないようにするために説明しない。本明細書において、１つの実施形態又は単に実施形態と言うとき、同じ実施形態を指す可能性もあるが必ずしもそうではなく、このような言及は実施形態の少なくとも１つを意味する。
【００１８】
本明細書において「１つの実施形態（又は、単に実施形態）」と言うとき、その実施形態に関連して説明される特定の特徴、構造又は特性が本開示の少なくとも１つの実施形態に含まれることを意味する。本明細書において様々な場所に「１つの実施形態において」と言う句が現れることは、必ずしも全てについて同じ実施形態を指すものではなく、又、別個の実施形態は相互に他の実施形態を排除しない。更に、いくつかの実施形態によって提示されるが他の実施形態によっては提示されない可能性のある様々な特徴について説明する。同様に、いくつかの実施形態にとっては要件であるが他の実施形態にとっては要件ではない可能性のある様々な要件についても説明する。
【００１９】
本明細書において使用する用語は、概ね、本開示の文脈内で及び各用語が使用される具体的文脈において、技術上その通常の意味を持つ。本開示を説明するために使用する特定の用語については、本開示の説明に関して実施者に付加的手引きを与えるために、以下において又は本明細書の別の場所で論じる。便宜上、特定の用語を、例えばイタリック体及び／又は引用符を使用して強調する場合がある。強調の使用は、用語の範囲及び意味に影響を与えるものではなく、用語の範囲及び意味は、強調されるか否かに関係なく同じ文脈において同じである。
【００２０】
同じものの表し方は一通りではないことが分かるはずである。したがって、本出願において論じる用語の１つ又はそれ以上について別の言語及び同義語を使用する場合がある。本出願において、ある用語が詳細に説明されたり或いは論じられているか否かは、特別に重要視されるということではない。特定の用語には同義語が与えられる。１つ又は複数の同義語の言及は他の同義語の使用を排除するものではない。本出願において論じる用語の例を含む例の本明細書における例の使用は、単なる例示であり、本開示又は例示される用語の範囲及び意味を更に限定するためのものではない。同様に、開示は、本明細書において示す各種実施形態に限定されない。
【００２１】
本開示の範囲をさらに限定するためではなく、本開示の実施形態に従った機器、装置、方法及びその関連する結果を以下に示す。タイトル又はサブタイトルは、読み手の便宜のために例として使用するものであり、本開示の範囲を限定するものではない。特に定義しない限り、本出願において使用する全ての技術的及び科学的用語は、本開示が属する技術分野の当業者が一般に理解するのと同じ意味を持つ。矛盾がある場合、定義を含めて本文献が優先する。
【００２２】
本出願において使用する「前」、「後」、「上部」、「底部」、「側」、「短」、「長」、「上」、「下」、「後方」、「前方」、「内寄り」、「外寄り」及び「下方」などの用語は、単に説明を容易にするためのものであり、図に示す構成要素の向きを指す。本出願において説明する構成要素の向きは、本発明の範囲内に在ることが分かるはずである。
【００２３】
図１〜１３は、本発明の好ましい実施形態に従ったドア用ダンパアセンブリ１０を示す。図２に示すように、好ましい実施形態において、ドア用ダンパアセンブリ１０は、洗面所用２つ折りドア１０４上方のヘッダ１０２に取り付けられる。ローラーピン１００は、ドア１０４から上向きに延びて、以下で説明するように、爪アセンブリ１２の中に受け入れられる。ドアからのピン又は他の突出部の種類は、本発明を限定するものではない。任意のローラー、ピン、突出部、シャフト、ロッドなどが本発明の範囲内に在り、請求項に係る発明のためにピンと見なされる。別の実施形態において、ドア用ダンパアセンブリは、ドアの底部に配置できる。
【００２４】
図３〜４を見ると、概略的に、ドア用ダンパアセンブリ１０は、ハウジング内部１５と本体部分１６とカバー１８とドアピン用スロット２０（ハウジング１４に形成される）と爪アセンブリ用スロット２１とを有するハウジング１４と、ダンパ２２と、キャリッジアセンブリ２４と、爪アセンブリ１２と、バネ２６と、を含む。キャリッジアセンブリ２４は、キャリッジ部材２８と、ダンパ用陥凹部３０と、キャリッジアセンブリ突出部３２と、バネ受入れ空間３４と、キャリッジ部材２８に形成される爪用空間３６と、を含む。ダンパ２２は、固定端部２２ａと、キャリッジ部材２８に固定されダンパ用陥凹部３０に受け入れられる可動端部２２ｂと、を含む。好ましい実施形態において、可動端部２２ｂは、その中にダンパ用突出部３７を受け入れる貫通開口部を含む。図１に示すように、爪アセンブリ１２は、ドアピン用スロット２０を通過してハウジング１４の外部まで延びる。ハウジング１４は、又、ダンパ２２の一部分を受け入れるために中に形成されたダンパ用陥凹部２３を含むことができる。カバー１８は、ネジ切り締結具、リベット、溶接、接着剤又は他の既知の取付け方法によって本体部分１６に固定できる。
【００２５】
爪アセンブリ１２は、第１及び第２爪部材３８及び４０を含み、それらの間の内側面がピン受入れ空間３９を定める。爪アセンブリ１２は、キャリッジ部材２８に回動可能に接続される。好ましい実施形態において、キャリッジ部材２８に回動可能に接続されて爪用空間３６内で回動可能なのは第１爪部材３８である。好ましい実施形態において、第１爪部材３８は、爪ピボットピン４２によって爪用空間３６内に固定される。好ましい実施形態において、キャリッジ部材２８は、ハウジング１４（即ち、本体部分１６及びカバー１８）の細長いキャリッジアセンブリ用スロット４６に嵌る外向きに延びるキャリッジアセンブリ突出部３２を含む。爪ピボットピン４２は、キャリッジアセンブリ突出部３２と同軸である。
【００２６】
第１爪部材３８は、ピン当接部分４８とビーク部５０とを含む。好ましい実施形態において、爪アセンブリはリセット機能を含む。第２爪部材４０は、この特徴を持つことによって、第１爪部材３８に回動可能に固定されて、第１爪部材３８に対して回動可能であることが好ましい。図５に示すように、好ましい実施形態において、第２爪部材４０は、以下で説明するように、リセットピボットピン５１によって第１爪部材３８のビーク部５０に回動可能に固定され、第１位置と第２位置との間で移動可能である。リセット機能を持つ好ましい実施形態において、爪用バネ５２は、キャリッジアセンブリ２４（例えば、キャリッジ部材２８）と第２爪部材４０との間に延びる。爪用バネ５２は、第２爪部材を第１位置（図５）へ付勢する。図３に示すように、爪用バネ５２は、軸６０によってキャリッジ部材２８に固定される。爪アセンブリ１２には、爪アセンブリ用スロット２１に受け入れられこれに沿って移動する爪アセンブリ突出部５４も含まれる。好ましい実施形態において、リセットピボットピン５１は、爪アセンブリ突出部５４と同軸である。
【００２７】
本出願において論じるように、爪アセンブリ１２は、キャリッジアセンブリ２４に回動可能に取り付けられて、キャリッジアセンブリと一緒に閉鎖位置（図６）と開放位置（図７）との間で移動可能である。爪アセンブリ１２は、又、キャリッジアセンブリに対して非トグル位置（図６）とトグル位置（図７）との間で移動可能である。図５に示すように、第１及び第２爪部材３８及び４０及びピン受入れ空間３９は、爪アセンブリ１２が非トグル位置のとき概ね垂直の爪軸線Ａ１を画定する。図７に示すように、爪軸線は、爪アセンブリ１２がトグル位置のとき、垂直ではなく垂直軸線との間に鋭角を形成する。
【００２８】
バネ２６は、一方の端部においてハウジング１４に取り付けられ、他方の端部においてキャリッジ部材２８に取り付けられる。バネ２６は、バネ受入れ空間３４の中に収容される。バネ受入れ空間は、任意の形状とすることができる。好ましい実施形態において、バネ受入れ空間は、図４に示すようにキャリッジ部材２８の上に位置付けられる溝である。以下で論じるように、バネ２６は、キャリッジアセンブリ２４が開放位置へ移動するとき伸張して、キャリッジアセンブリ２４及び爪アセンブリ１２を閉鎖位置へ付勢する。
【００２９】
キャリッジアセンブリ２４及び爪アセンブリ１２は、キャリッジアセンブリが閉鎖位置と開放位置との間で移動し爪アセンブリがキャリッジ経路の第２端部においてトグル位置へ回動するとき、第１端部と第２端部を有するキャリッジ経路に沿って移動する。図６は、キャリッジ経路の第１端部におけるキャリッジアセンブリ２４及び爪アセンブリ１２を示し、図７は、キャリッジ経路の第２端部におけるキャリッジアセンブリ２４及び爪アセンブリ１２を示す。又、キャリッジアセンブリ１２は、これから突出する（図４に示すように好ましい実施形態においてキャリッジ部材２８から突出する）バネ用突出部５６を含む。バネ用突出部５６は、ハウジングに形成されたバネ用スロット５８の中に受け入れられる。バネ用突出部５６は、バネに近接して又はその付近に位置付けられ、キャリッジアセンブリ２４が閉鎖位置と開放位置との間で移動するときバネ用スロット５８に沿って移動する。
【００３０】
図６〜１０は、作動時のドア用ダンパアセンブリを示す。図６は、閉鎖位置のキャリッジアセンブリ２４及び非トグル位置の爪アセンブリ１２を示し、ローラーピン１００はピン受入れ空間３９の中に在る。これは、ドア１０４が閉鎖位置にあるときのアセンブリの構成要素の定位置である。ドア１０４が開けられるとき、ローラーピン１００は、第２爪部材４０の内面に接触して、爪アセンブリ１２及びキャリッジアセンブリ２４を開放位置へ向かって押す。同時に、バネ２６は伸張して、ダンパ２２は圧縮する。爪アセンブリ用スロット２１は、直線的な第１部分２１ａと、上向きに湾曲する第２部分２１ｂとを含む。キャリッジアセンブリ２４が開放位置へ向かって移動するとき、爪アセンブリ突出部５４は爪アセンブリ用スロット２１の第１部分２１ａに沿って、その中で移動する。
【００３１】
図７に示すように、爪アセンブリ１２が爪アセンブリ用スロット２１の第２部分２１ｂに到達すると、第２部分は上向きに湾曲する形状を持つので、爪アセンブリ１２はトグル位置へ回動する。この移動の結果として、第２爪部材４０は、ローラーピン１００が第２爪部材４０の底面から離れるのに充分な程度上向きに回動する。図８に示すように、ローラーピン１００が第２爪部材４０から離れて、ピン受入れ空間３９から出た後、ドア及びローラーピン１００は、ドアの完全開放位置まで移動し続ける。
【００３２】
図９に示すように、使用者がドアを閉め始めると、ローラーピン１００が爪アセンブリ１２に到達して、第１爪部材３８のピン当接部分４８に接触する。この接触及び閉められるドアの力によって、爪アセンブリ突出部５４は、爪アセンブリ用スロット２１の第２部分２１ｂから出て、第１部分２１ａへ入る。言い換えると、ピンが第１爪部材３８と接触することによって、爪アセンブリ１２をトグル位置から非トグル位置へ移動する。この移動が生じると、引張状態にあったバネ２６は、キャリッジアセンブリ２４及び爪アセンブリ１２を第１位置へ向かって引っ張る。このとき、ダンパ２２は、ドアが急にバタンと閉まらないようにキャリッジアセンブリ２４及び爪アセンブリ１２の動きを制動する。したがって、バネ２６は、ドアの閉鎖を助け、ダンパ２２はドアが急にバタンと閉まるのを防止する。図１０は、ドアが閉まった後に第１位置へ戻ったキャリッジアセンブリ２４及び爪アセンブリ１２を示す。
【００３３】
上述のように、好ましい実施形態において、ドア用ダンパアセンブリ１０は、リセット機能を含む。これを図１１〜１３に示す。図１１は、爪アセンブリ１２が「リセット」を必要とする状況を示す。この状況において、爪アセンブリ１２が非トグル位置にありローラーピン１００抜きで第１位置へ戻っていて、ローラーピン１００はピン受入れ空間３９の外に在る。キャリッジアセンブリ２４が閉鎖位置と開放位置との間で移動するとき、ピン受入れ空間３９は、図１１において２本の破断線で表されるピン経路ＰＰを画定することが分かるであろう。リセット状況において、ローラーピン１００は、ピン受入れ空間の外に在って、ピン経路の中に在る。
【００３４】
この状況において、ドアが開放位置から閉鎖位置へ移動し（図１１）、ピン１００がピン経路ＰＰに沿って移動するとき、ピンは第２爪部材４０の外側傾斜面４０ａに接触して、図１２に示すように、第２爪部材４０を第１位置から第２位置へ回動する。図１２の曲線矢印は、第２位置への回動における第２爪部材４０の回転を示す。ローラーピン１００が第２爪部材４０を通過して、外側傾斜面４０ａとの接触から離れた後、爪用バネ５２は、図１３に示すように第２爪部材４０を付勢又は回動して第１位置へ戻す。図１３の曲線矢印は、第１位置へ戻る第２爪部材４０の回転を示す。図１３に示すように、ローラーピン１００は、これでピン受入れ空間３９の中に戻る。
【００３５】
キャリッジアセンブリ突出部３２、爪アセンブリ突出部５４及びバネ用突出部５６は、キャリッジ及び爪アセンブリの両側面から外向きに延び、ハウジング１４に形成されるキャリッジアセンブリ用スロット４６、爪アセンブリ用スロット２１及びバネ用スロット５８の中に受け入れられることが分かるであろう。但し、別の実施形態において、突出部とこれに関連するスロットのうち１組のみを使用できる。別の実施形態において、リセット機能を省略できる。
【００３６】
文脈上特に要求されない限り、明細書及び請求項において、「含む、備える（comprise）」などは、排他的又は網羅的ではなく包括的意味に、即ち「含むけれどもそれに限定されない」と言う意味に解釈されるものとする。本出願において使用される場合、「接続」、「結合」又はその任意の変形は、２つ又はそれ以上の要素の間の直接的又は間接的な接続または結合を意味し、要素間の接続結合は、物理的、論理的又はその組合せとすることができる。更に、「本出願において」、「上で」又は「下で」又は同様の意味の言葉は、本明細書において使用される場合、本出願の特定の部分ではなく本出願全体を指すものとする。文脈上可能であれば、単数又は複数を使用する「発明を実施するための形態」における単語は、それぞれ複数又は単数も含むことができる。２つ以上の項目のリストに言及する際の「又は」と言う言葉は、リストの項目のいずれか、リストの項目の全て及びリストの項目の任意の組合せと言う解釈の全てをカバーする。
【００３７】
本開示の実施形態の上述の説明は、網羅的であること又は教示を上に開示される正確な形態に限定することを意図しない。本開示の具体的実施形態及び実施例について上で例示のために説明するが、当業者には分かるように、様々な同等の修正が本開示の範囲内で可能である。更に、本出願において記載する具体的な数値は単なる例であり、他の実現形態は、異なる値、測定値又は範囲を採用できる。
【００３８】
本出願において提示する本開示の教示は、必ずしも上で説明するシステムではなく他のシステムにも応用できる。上で説明する各種実施形態の要素及び行為は、組み合わせて更に別の実施形態を与えることができる。本出願において説明又は使用する測定値は、単に代表的なものであり、本発明を限定するものではない。他の測定値を使用できる。更に、本出願において記載する具体的材料は単なる例であり、他の実現形態において別の材料を採用できる。
【００３９】
上に記載する特許及び出願及びその他の参考文献は、添付提出書類に列記するものも含めて、参照によりその全体が本出願に援用される。本開示の形態は、必要であれば、上で説明する各種参考文献のシステム、機能及び概念を採用して本開示の更に別の実施形態を提供するために修正できる。
【００４０】
上記の「発明を実施するための形態」を考慮して、本開示に、これらの及びその他の変更を加えることができる。上の説明は本開示の特定の実施形態について説明し想定される最良の様式を説明するが、本文において説明がどのように詳細であっても、教示は多様に実施できる。システムの細部はその実現の細部においてかなり変化する可能性があるが、それでも、本出願において開示する内容に包含される。上述のように、本開示の特定の特徴又は形態を説明する際に使用される特定の用語は、その用語が、その用語に関連する本開示の具体的な特性、特徴又は形態に限定されるために本出願において再定義されることを示唆するものと解釈されるべきではない。概略的に、以下の請求項において使用される用語は、上の「発明を実施するための形態」がその用語を明確に定義しない限り、本明細書に開示する具体的実施形態に本開示を限定するものと解釈されるべきではない。従って、本開示の実際の範囲は、開示される実施形態のみでなく、請求項に基づき本開示を実施又は実現する全ての同等の様式を包括する。
【００４１】
したがって、本発明の代表的実施形態を図示し説明するが、本出願において使用する全ての用語は限定的ではなく説明的であり、本発明の主旨及び範囲から逸脱することなく当業者は多くの変更、修正及び代替を加えることができることが分かるはずである。
【図１】
2021519878.tif 000003
【図２】
2021519878.tif 000004
【図３】
2021519878.tif 000005
【図４】
2021519878.tif 000006
【図５】
2021519878.tif 000007
【図６】
2021519878.tif 000008
【図７】
2021519878.tif 000009
【図８】
2021519878.tif 000010
【図９】
2021519878.tif 000011
【図１０】
2021519878.tif 000012
【図１１】
2021519878.tif 000013
【図１２】
2021519878.tif 000014
【図１３】
2021519878.tif 000015
【国際調査報告】
2021519878.tif 000016